(57)【特許請求の範囲】
【請求項１】
第４葉から第５葉が展開した野菜の葉面に、アミノ酸含有量が５００ｍｇ／１００ｍｌ以上である黒酢を８０〜２５０倍に希釈して散布することを含む、抗酸化機能が向上した野菜を栽培する方法。
【請求項２】
請求項１に記載の方法により栽培した、抗酸化機能が向上した野菜。
【発明の詳細な説明】
【技術分野】
【０００１】
本発明は、抗酸化機能が向上した植物を栽培する方法、植物の抗酸化機能を向上させる葉面散布用組成物及び抗酸化機能が向上した野菜に関する。
【背景技術】
【０００２】
近年、ビニールハウスやガラス室など環境を制御できる施設内で、土壌ではなく、肥料成分を含む水耕液に根を浸して野菜を栽培する生産方法が、食料の安定供給といった観点から注目されている。特に、異常気象の影響によって露地栽培では年ごとに収穫量が変動してしまうため、露地栽培から施設園芸や水耕栽培に切り替える農家が増えている。また、栽培環境を制御できる施設内では野菜に病虫害が発生しにくく、農薬の使用量を低減することが可能で、消費者から水耕栽培された野菜は安全・安心な野菜であると認知されつつある。
【０００３】
但し、肥料成分の配合を最適化した水耕液に浸して野菜を促成栽培するため、短期間で一定の収量が得られるという利点はあるものの、露地で栽培された野菜と比べて水耕栽培された野菜は食味に乏しく、ビタミン類やポリフェノール類といった機能性成分が少ない、という欠点がある。また、水耕液には植物の育成に不可欠な窒素成分が硝酸塩として含まれているが、短期間で一定の収量を得るために必要以上の硝酸塩が添加されており、水耕栽培された野菜の硝酸イオン濃度は非常に高いといった問題が生じている。野菜から体内に取り込まれた硝酸は還元されて亜硝酸になるが、硝酸イオン濃度が高い野菜を通して硝酸を過剰に摂取すると、亜硝酸がヘモグロビンと結合し酸素を運搬できなくなるメトヘモグロビン血症を発症してしまう。
【０００４】
このような問題に対し、水耕液の肥料成分の量を制御する、あるいは無機イオンを含む水耕液で野菜を栽培することによって、野菜中に含まれる硝酸イオンやシュウ酸など人間に害をもたらす物質を低下させる研究がこれまで行われてきた。
【０００５】
例えば、特許文献１では、通常量の硝酸態窒素を含む水耕液で育てた野菜を、収穫前の一定期間は硝酸態窒素を殆ど含まないか全く含まない水耕液で栽培し、野菜内部に残存する硝酸イオンを消費させる栽培方法が記されている。また、特許文献２では、銅イオンを含む水耕液、あるいはモリブデンを含まずｐＨを７．０以上にした水耕液で栽培することによって、ホウレンソウのシュウ酸含量を低下させる栽培方法が記載されている。しかし、これらの方法では、通常の成分組成の水耕液が満たされた栽培槽でしばらく栽培したのち、硝酸態窒素やモリブデンを含まない水耕液が入った栽培槽へ野菜を移し変えるという作業が発生し、また、通常の水耕液が満たされた栽培槽とは別に組成を変えた水耕液を入れる栽培槽を設ける必要があり、実際の生産場面に適用するには手間もコストもかかり、好ましくない。
【０００６】
このように、これまで野菜の栽培方法に関しては、野菜に含まれる特定の成分を減少させる研究が中心だった。しかし、近年、健康食品への関心が高まるにつれて、野菜の有効成分、例えばビタミン類やポリフェノール類など機能性成分を増加させる栽培方法に関する研究が行われるようになった。特に、体内に存在する活性酸素は、細胞や組織に損傷を与え、ガンや生活習慣病、老化を促進させる一因になっていると考えられ、活性酸素を除去する機能、すなわち抗酸化機能が高い食品へのニーズが高まっている。
【０００７】
例えば、特許文献３には、植物を栽培する際に、ホウ素、マンガン、鉄、銅を含む混合微量要素や、亜鉛、モリブデン、セレンから選ばれる少なくとも１つの微量要素を所定量含む溶液を灌水施用するかまたは葉面散布して、ビタミン類やポリフェノール類を多く含む野菜を栽培する方法が記載されている。しかし、この方法では微量要素を含む溶液を調製しなくてはならず、手間とコストがかかってしまうという問題を有する。
【０００８】
また、例えば特許文献４には、黒酢を５００倍程度に希釈して稲に散布することによって生長の促進、増収、いもち病への予防効果が図れることが記載されており、特許文献５には、５００倍以上に希釈した黒酢を付与することによって、ウリ科、バラ科若しくはアブラナ科の植物体の収量増加、食味の向上、病虫害の抑制が図れることが記載されている。しかしながら、黒酢を利用して植物が有する機能性成分を増加させるような栽培方法は従来知られていなかった。
【０００９】
【特許文献１】特公平７−１０２０５１号公報
【特許文献２】特開平５−２６８８３７号公報
【特許文献３】特開２００６−３０４７７７号公報
【特許文献４】特開２０００−２２４９２８号公報
【特許文献５】特開２００６−１２１９７５号公報
【発明の開示】
【発明が解決しようとする課題】
【００１０】
本発明は、生産設備や水耕液の組成など、従来の栽培方法を変えることなく簡便な処理によって植物の抗酸化機能を向上させる方法を提供することを目的とする。
【課題を解決するための手段】
【００１１】
本発明者は、前記目的を達成するために研究した結果、黒酢を特定の倍率に希釈して散布することにより植物の抗酸化機能の向上が可能であることを見出し、本発明を完成した。
【００１２】
すなわち本発明の要旨は以下のとおりである：
（１）植物の葉面に、希釈した黒酢を散布しないで栽培した植物より常にＯＲＡＣ値が高くなる程度に黒酢を希釈して散布する、抗酸化機能が向上した植物を栽培する方法
（２）植物の葉面に、希釈した黒酢を散布しないで栽培した植物より常に総ポリフェノール含量が高くなる程度に黒酢を希釈して散布する、抗酸化機能が向上した植物を栽培する方法
（３）植物が野菜であり、野菜の葉面に酢焼けを発生させない程度に希釈した黒酢を散布することを特徴とする、（１）又は（２）に記載の方法
（４）散布が第４葉から第５葉が展開した野菜に対して行われる、（１）〜（３）のいずれかに記載の方法
（５）散布が２〜４日に１回の割合で少なくとも２週間野菜に対して行われる、（１）〜（４）のいずれかに記載の方法
（６）（１）〜（５）のいずれかに記載の方法により栽培した、抗酸化機能が向上した野菜
（７）植物の葉面に散布することにより、散布しないで栽培した植物よりも常にＯＲＡＣ値が高くなる程度に希釈した黒酢を含む、植物の葉面散布用組成物
【発明の効果】
【００１３】
本発明によれば、従来の栽培方法を変えることなく、簡便な処理によって植物が備える抗酸化機能を向上させることができる。
【発明を実施するための最良の形態】
【００１４】
以下、本発明の抗酸化機能が向上した植物の栽培方法、植物の葉面散布用組成物及び抗酸化機能が向上した野菜の一実施態様について詳細に説明する。
【００１５】
本発明が対象とする植物としては、例えば野菜や果物が挙げられる。野菜とは、主に葉や根、茎（地下茎を含む）、実などを食用などに利用する植物一般のことを意味する。中でも葉を食す野菜、特にアブラナ科に属する野菜、例えばキャベツ、レタス、小松菜、白菜、水菜、ルッコラ等や、アカザ科に属する野菜、例えばホウレンソウ等に対して、本発明は特に高い効果を有する。なお、野菜は食用としなくても化粧品や医薬品、サプリメントなどの原料として用いられるようなものでもよい。また果物とは、草木の果実で食用となるようなものを意味する。
【００１６】
植物はどのように栽培されていてもよく、すなわち土壌に植え付けられていても、また水耕液に浸して栽培されていてもよい。しかし、生産管理が簡単ではあるが露地栽培されたものよりも栄養面で劣ることが多い水耕栽培の植物、特に水耕栽培の野菜に本発明を用いると、その栄養面における欠点を補うことができ、より効果的である。本発明は、従来の水耕栽培装置を設置した施設で、通常の成分組成で調製された水耕液で栽培されている野菜に対して用いることができる。特殊な設備等を用意せずとも、黒酢を希釈して散布するだけで野菜の抗酸化機能を向上させることができるため、本発明は非常に有利である。また、従来の方法で栽培されている果物に対しても、黒酢を希釈して散布するだけで果物の抗酸化機能を向上させることができるため、本発明は非常に有利である。
【００１７】
抗酸化機能とは活性酸素等の酸化力の強い生成物を還元する作用のことである。例えば抗酸化機能を有する物質を摂取すると、体内に存在して細胞や組織に損傷を与え、ガンや生活習慣病、老化を促進させる一因になっていると考えられる活性酸素を還元することができる。抗酸化機能を有する物質としては、具体的にはビタミンＣやビタミンＥといったビタミン、或いはカテキン、アントシアニン、ルチン、イソフラボン類といったポリフェノール等が知られている。本発明の方法で栽培した植物の場合、これらの中でも特にポリフェノールの含量が増加することによって、抗酸化機能の向上が実現されていると考えられる。
【００１８】
抗酸化機能は、様々な指標を用いて定量することができ、例えば、アメリカで食材や健康食品の抗酸化機能の指標として採用されているＯＲＡＣ(Oxygen Radical Absorbance Capacity)の値によって定量化することができる。このＯＲＡＣとは、被検体の活性酸素吸収能力を、ビタミンＥ様物質であるトロロックス（６−ヒドロキシ−２，５，７，８−テトラメチルクロマン−２−カルボン酸）の還元力に換算して得られる値であり、単位は１μｍｏｌトロロックス単位である。
【００１９】
黒酢とは、ＪＡＳ規格により定められたもの、すなわち（１）１リットルあたり１８０ｇ以上の原料を使用、（２）熟成によって自然に褐色したもの（着色度０．３以上）、（３）原料は白米でなく、糠部分がついていること、の条件に適合するように製造されたものをいう。中でも、玄米を材料とし、製造過程で１０ヶ月程度熟成させた黒酢が本発明に適している。そのような黒酢は、熟成の間に玄米に含まれるタンパク質がアミノ酸へと分解され、他の黒酢に比べて総アミノ酸含量が高いという特性を有する。各種アミノ酸は植物の生育に必須で、植物の代謝活性を高めることが知られており、葉面からも吸収される。黒酢によって付与される多量のアミノ酸が植物の代謝を活性化し、その結果として、ポリフェノールなど二次代謝産物が関与する抗酸化機能が向上すると考えられる。散布する黒酢のアミノ酸含有量が５００ｍｇ／１００ｍｌ以上であると、植物の抗酸化機能を向上させる上で有利である。
【００２０】
また上述のような黒酢は、他の黒酢と比べてカリウム含量が高いという特性も有する。カリウムは光合成活性を高めることが知られており、植物の抗酸化機能を向上させる一因となっていると考えられる。散布する黒酢のカリウム含有量が８０ｍｇ／１００ｍｌ以上であると、植物の抗酸化機能を向上させる上で有利である。
【００２１】
我が国では様々な黒酢が製造・販売されているため、黒酢は他の特殊な薬剤等と比較すると容易且つ安価に入手可能である。そのような容易且つ安価に入手可能な黒酢を利用して植物の抗酸化機能を高めることができるのも、本発明の利点の一つである。本発明で用いるのに好適な黒酢としては、例えば石山味噌醤油株式会社製の「純玄米黒酢」（商品名）を挙げることができる。
【００２２】
黒酢は、希釈した黒酢を散布しないで栽培した植物より常にＯＲＡＣ値が高くなる程度に希釈して散布する。又は、希釈した黒酢を散布しないで栽培した植物より常に総ポリフェノール含量が高くなる程度に希釈する。具体的には、例えば水耕栽培されているルッコラの場合であれば、８０〜２５０倍、特に１００〜２００倍に希釈して散布すると、栽培時期を問わず安定して抗酸化機能を向上させることができる。なお、抗酸化機能を向上させるためには、希釈倍率が低い黒酢を散布することが望まれるが、特に野菜に散布する場合には、低くしすぎると野菜に酢による悪影響（酢に含まれる酸により野菜の葉などが枯れてしまう酢焼け等）が生じることがある。しかし、このような倍率で希釈した黒酢を含む散布用組成物を野菜に散布すると、野菜の有する抗酸化機能が向上し、且つ野菜に悪影響が生じることが無い。すなわち、黒酢は野菜の葉面に酢焼けを発生させない程度に希釈して散布することが好ましい。なお、黒酢は水で希釈することが好ましい。
【００２３】
希釈した黒酢を含む散布用組成物は、野菜がある程度生長してから散布を開始するのが好ましく、例えば第４葉から第５葉が展開した頃から散布を開始することが好ましい。    従って、通常、播種後２〜４週間、好ましくは播種後３週間程度経過した野菜に対して散布を開始することが好ましい。一定以上生長してから散布を開始することで、幼植物が酢によって酢焼けをおこして枯死することを防ぐことができる。
【００２４】
また散布は、ある程度の時間間隔を空けて、且つ一定期間行うことが好ましい。具体的には２〜４日に１回程度、特に３日に１回程度の頻度で、通常２週間程度散布することが好ましい。このような頻度で散布を行うと、野菜に酢によるｐＨ障害が発生することがなく、生育が抑制されることもない。また、このような期間で散布を行うことで、黒酢の散布による野菜の抗酸化機能の向上が十分に発現される。なお、抗酸化機能の向上効果が十分得られるよう、散布は収穫の１日前まで行われることがさらに好ましい。
【００２５】
散布はどのように行ってもよいが、植物の葉面に対して散布するのが好ましい。また散布量は、液体の場合は植物の葉面が湿る程度、例えばルッコラであれば４０〜５０ｍｌ／ｍ２程度でよい。その程度散布することで、本発明の抗酸化機能向上効果を十分得ることができ、植物に酢による害が生じることもない。
【００２６】
本発明はさらに、上記本発明の栽培方法に使用するための植物の葉面散布用組成物に関する。本発明の葉面散布用組成物は、植物の葉面に散布することにより、散布しないで栽培した植物よりも常にＯＲＡＣ値が高くなる程度に希釈した黒酢を含む。本発明の葉面散布用組成物は、植物の抗酸化機能を向上させるために使用できる。本発明の葉面散布用組成物には、黒酢に加えて、何らかの添加剤、例えば植物の葉の表面に黒酢を付着させるための展着剤、或いは植物の病虫害を防ぐための農薬や、植物の生長を促進する生長促進剤や肥料等も加えてもよい。
【００２７】
本発明はまた、上記本発明の栽培方法により栽培した抗酸化機能が向上した植物、特に野菜に関する。そのような野菜は、その向上した抗酸化機能により、食用として或いは化粧品や医薬品、サプリメントなどの原料として有用である。
【実施例】
【００２８】
以下、本発明の具体的な実施例について説明するが、本発明はこれらの実施例に限定して解釈されるべきものではない。特に、実施例では水耕栽培されている野菜の場合について記載しているが、本発明は水耕栽培に限定されるものではなく、土耕栽培にも適用可能である。また、本発明は野菜に限定されるものではなく、果物についても適用可能である。なお、実施例では黒酢のみを水で希釈して散布しているが、散布液には生長促進剤等を加えることも可能である。
【００２９】
（実施例１）
実施例１は、温室内で通常組成の水耕液に満たされた水耕槽で栽培されているルッコラの葉面に黒酢を１００倍及び５００倍に希釈した溶液を３日に１回の頻度で散布し、ルッコラの抗酸化機能に対する黒酢の散布効果を調べたものである。
【００３０】
栽培試験は平成１９年１月３１日〜２月１３日に実施した。播種後、１枚あたり６４穴の定植板に移植され水耕槽で栽培されるようになって１週間が経過し、第４葉から第５葉を展開しているルッコラに、３日に１回の割合で、石山味噌醤油株式会社製「純玄米黒酢」を水で１００倍及び５００倍に希釈した溶液を噴霧器によって葉面が湿る程度（４０〜５０ｍｌ／ｍ２）散布した。石山味噌醤油株式会社製「純玄米黒酢」の栄養成分は表１に記載のとおりである。
【表１】
0005372368.tif 000002
【００３１】
１枚の定植板を１つの試験区として、１００倍希釈液散布区、５００倍希釈液散布区、また、葉面に何も散布しない無散布区を設けた。なお、黒酢の希釈液には展着剤として「粘着くん（登録商標）液剤」（住友化学社製）を１００倍希釈で、１００ｍｌ黒酢希釈液に対して１ｍｌの割合で添加した。散布を開始してから１週間後、２週間後にルッコラを各試験区より３個体ずつ採取して抗酸化機能を評価した。
【００３２】
採取したルッコラのＯＲＡＣ値をＤＰＰＨ（ジフェニルピクリルヒドラジル）ラジカル消去活性として定量することによって抗酸化機能を評価した。（以降、ＯＲＡＣ値はＤＰＰＨラジカル消去活性として定量したものを示す。）具体的には、採取したルッコラに４倍容の８０％エタノールを加えて乳鉢ですり潰し、その破砕液を室温で一昼夜放置した。破砕液をろ過したのち、等容の８０％エタノールで希釈して、ＯＲＡＣ値の定量に供試した。ＯＲＡＣ値の定量にあたっては、酸化剤ヒドロキシラジカルを含む反応液にルッコラの破砕液を加え、そのときの還元力を５２０ｎｍに対する吸光度の減衰によって測定した。また、同様に標準物質であるトロロックスの還元力も測定し、ルッコラの抗酸化機能をトロロックス１μｍｏｌあたりの還元力（＝１μｍｏｌトロロックス単位）として定量した。各試験区より採取したルッコラのＯＲＡＣ値を定量した結果を表２に示す。
【００３３】
【表２】
0005372368.tif 000003
【００３４】
黒酢の散布を開始してから１週間後においては各試験区のＯＲＡＣ値にほとんど差が見られないが、２週間後では、１００倍希釈液散布区のＯＲＡＣ値が他の試験区に比べて有意に高く、対照区の１．５倍程度のＯＲＡＣ値を示した。但し、５００倍希釈液散布区におけるＯＲＡＣ値は対照区に比べて有意に低かった。なお、各試験区より採取したルッコラ供試個体の新鮮重については、散布開始１週間後、２週間後においても試験区間で有意な差異は認められなかった。
【００３５】
以上のことから、冬期は、１００倍に希釈した黒酢をルッコラの葉面に散布することによって、収量を低下させることなく、何も散布しないルッコラに比べて抗酸化機能が１．５倍ほど向上することが確認された。
【００３６】
（実施例２）
実施例２は、石山味噌醤油株式会社製「純玄米黒酢」と他社が製造する黒酢や穀物酢の散布効果を調べたものである。
【００３７】
栽培試験は平成１９年５月２４日〜６月６日に実施した。実施例１と同様に、温室内で通常の水耕液に満たされた水耕槽で栽培され、第４葉から第５葉が展開したルッコラを用いて、石山味噌醤油株式会社製の「純玄米黒酢」（石山黒酢散布区）、Ｍ社が製造している玄米黒酢（Ｍ社黒酢散布区）及び穀物酢（穀物酢散布区）をそれぞれ水で１００倍に希釈した溶液を葉面散布する試験区と、対照区として何も散布しない無散布区を設けた。黒酢希釈液の散布にあたっては、１回の散布量をルッコラの葉面が湿る程度として、３日に１回の頻度で各々の溶液を散布した。試験を開始してから１週間後、２週間後に各試験区からルッコラを任意に３個体ずつ採取して実施例１と同様の方法でＯＲＡＣ値を定量した。その結果を表３に示す。
【００３８】
【表３】
0005372368.tif 000004
【００３９】
散布開始１週間後では、実施例１と同様に、対照区と黒酢や穀物酢を散布した試験区の間でルッコラのＯＲＡＣ値に有意な差異は認められなかった。２週間後においては、石山黒酢散布区のルッコラのみＯＲＡＣ値が向上し、他の試験区に比べてＯＲＡＣ値が有意に高かった。Ｍ社黒酢散布区、穀物酢散布区におけるルッコラのＯＲＡＣ値は対照区に比べて低かった。
【００４０】
以上のことから、春期においても石山味噌醤油株式会社製の「純玄米黒酢」を１００倍に希釈した溶液を散布することによって、ルッコラの抗酸化機能が、何も散布していないルッコラに比べて１．２５倍ほど高くなることが確認された。
【００４１】
（実施例３）
実施例３は、野菜の抗酸化機能を向上させるにあたって、散布する黒酢の最適な希釈倍率について検討したものである。
【００４２】
この栽培試験は平成１９年７月１０日から７月２４日にかけて実施した。実施例１、２と同様に、温室内で通常の水耕液で栽培され第４葉から第５葉が展開したルッコラを用いて、石山味噌醤油株式会社製の「純玄米黒酢」を水で１０倍、５０倍、６０倍、７０倍、８０倍、９０倍、１００倍、２００倍、３００倍、５００倍、１０００倍に希釈した溶液を散布する試験区と、対照として何も散布しない無散布区を設けた。黒酢液の散布は、これまでと同様に、葉面が湿る程度に３日に１回の頻度で２週間行った。試験を開始して１週間後、２週間後に各試験区よりルッコラを任意に３個体採取し、これまでと同様にＯＲＡＣ（１μｍｏｌトロロックス単位／ｇ新鮮重）値を定量した。その結果を表４に示す。
【００４３】
【表４】
0005372368.tif 000005
【００４４】
これまでの試験結果と同様に、試験開始１週間後においては対照区と黒酢を散布した試験区の間でルッコラのＯＲＡＣ値に有意な差異は認められなかった。２週間後においては、試験区間でルッコラのＯＲＡＣ値に有意な差が認められ、無散布区に比べてＯＲＡＣ値が高かった試験区が多くみられた。１０倍及び５０倍に希釈した黒酢を散布した試験区より採取したルッコラのＯＲＡＣ値は無散布区に比べて有意に高かったが、葉が一部、酢焼けし、収量の低下が見られたことから、抗酸化機能は向上するものの、商品として出荷する野菜を栽培するには適さない希釈倍率と判断された。６０倍、７０倍に希釈した黒酢を散布した試験区ではＯＲＡＣ値が無散布区とほとんど変わらなかったが、８０倍希釈液散布区ではＯＲＡＣ値が無散布区に比べて有意に高くなり、９０倍、１００倍、２００倍に希釈した黒酢液を散布した試験区でも抗酸化機能の向上が認められた。２００倍に希釈した黒酢液を散布したときにＯＲＡＣ値が最も高くなり、無散布区に比べて１．２倍ほど高くなり、これまでの実施例で適用してきた１００倍希釈液を散布した試験区では、ＯＲＡＣ値が無散布区の１．１５倍だった。３００倍以上に希釈した黒酢を散布した試験区ではルッコラのＯＲＡＣ値は無散布区とほとんど変わらなかった。黒酢を散布してから２週間後における黒酢の希釈倍率とＯＲＡＣ値の関連性について図１に示す。
【００４５】
以上の結果から、夏期においても、他の季節ほど明確にＯＲＡＣ値は高くならなかったが、８０倍から２００倍に希釈した黒酢を葉面散布することによって野菜の抗酸化機能が少なくとも１．１３倍、最大で１．２倍ほど高くなることが確認された。
【００４６】
ここで、この実施例３における、試験を開始してから２週間後のルッコラの１株あたりの平均収量を表５に示す。
【００４７】
【表５】
0005372368.tif 000006
【００４８】
黒酢を散布した試験区におけるルッコラの収量は、無散布区における収量と同等か或いはそれより低下した。このことから、黒酢の散布が水耕栽培しているルッコラの生長を促進させ収量を増加させる効果を特には有しないことが確認された。すなわち、これまで述べたような黒酢の散布によるルッコラの抗酸化機能の向上は、ルッコラの生長促進に伴うものではなく、黒酢の散布が直接作用したことに起因するものであることが確認された。
【００４９】
（実施例４）
実施例４は、再度、抗酸化機能を向上させるにあたって最適な黒酢の希釈倍率を確認することと、一般的に野菜の抗酸化機能に寄与していると知られているポリフェノール含量に対する黒酢の散布効果を調べるために行った。
【００５０】
この栽培試験は平成１９年１１月７日から１１月２２日にかけて実施した。これまでと同様に、通常の水耕液に定植してから1週間ほどが経過し、第４葉から第５葉が展開しているルッコラを用い、４つの試験区を設け、各々に石山味噌醤油株式会社製の「純玄米黒酢」を水で７５倍、１００倍、２００倍、５００倍に希釈した溶液を散布した。また、対照区として何も散布しない区を設けた。溶液の散布量はルッコラの葉面が全体的に湿る程度として、３〜４日に一回の頻度で散布し、散布開始１週間後と２週間後に各試験区よりルッコラを３個体ずつサンプリングして、ＯＲＡＣ値と総ポリフェノール含量を定量した。
【００５１】
ＯＲＡＣ値の定量はこれまでと同様の方法で実施した。試験を開始してから１週間後および２週間後に採取したルッコラのＯＲＡＣ値について定量した結果を表６に示す。
【００５２】
【表６】
0005372368.tif 000007
【００５３】
試験を始めてから１週間後より黒酢の散布効果が認められ、１００倍希釈液を散布した試験区のＯＲＡＣ値が他の試験区に比べて有意に高く、無散布区の１．２５倍だった。２週間後においては、１００倍希釈液散布区ではＯＲＡＣ値がやや低下したが、無散布区のＯＲＡＣ値に比べて高く、２００倍希釈液散布区のＯＲＡＣ値は無散布区の１．２倍だった。７５倍希釈液を散布した試験区では、試験開始１週間後にＯＲＡＣ値が無散布区の１．１７倍だったが、２週間後においては無散布区のＯＲＡＣ値とほとんど変わらなかった。５００倍希釈液散布区におけるルッコラのＯＲＡＣ値は無散布区とほとんど差異が見られなかった。
【００５４】
総ポリフェノール含量については、採取したルッコラの茎葉を細かく刻んで、１０倍量の蒸留水を加えて、１時間穏やかに加熱抽出した。抽出液をろ過した後、抽出液にフォリン−デニス試薬を加え、反応液の７００ｎｍにおける吸光度を測定し、抽出液に含まれるポリフェノール量を標準物質であるコーヒー酸を用いて作成した検量線よりコーヒー酸相当量として定量した。各試験区より採取したルッコラの総ポリフェノール含量について定量した結果を表７に示す。
【００５５】
【表７】
0005372368.tif 000008
【００５６】
試験を開始してから１週間後より、ルッコラに含まれる総ポリフェノール量に対する黒酢の散布効果が認められた。無散布区に比べて黒酢を散布した試験区における総ポリフェノール含量が高く、散布する黒酢の濃度が高いほどポリフェノール含量が多かった。２週間後においては、無散布区でポリフェノール含量が1週間後に比べて低下したが、黒酢を散布した試験区ではポリフェノール含量が維持されており、無散布区と黒酢を散布した試験区の間でポリフェノール含量の差異が大きくなった。２週間後においても、黒酢の散布濃度が高いほどポリフェノール含量が多い傾向が認められた。
【００５７】
以上の結果から、秋期においても１００倍から２００倍に希釈した黒酢液を葉面に散布することによって安定的に、ルッコラの抗酸化機能が何も散布しない場合に比べて１．２倍ほど向上することが明らかとなった。また、黒酢の葉面散布はルッコラに含まれる総ポリフェノール量を高めることが明らかとなった。
【図面の簡単な説明】
【００５８】
【図１】散布する黒酢の希釈倍率を変えた際のＯＲＡＣ値の変化をグラフ化したものである。
【図１】
0005372368.tif 000009